(57)【要約】【課題】組み立てが容易で、倒壊しにくく、仮に倒壊しても安全で、耐久性、断熱性、および防音性に優れ、軽量なフェンスを提供する。【解決手段】フェンス１０は、第一樹脂部材１２と、第二樹脂部材１４と、支柱１６と、連結部材１８を備えている。第一樹脂部材１２は第一突出部１２ａおよび第二突出部１２ｂを後面に備え、第二樹脂部材１４は第三突出部１４ａおよび第四突出部１４ｂを後面に備えている。第一突出部１２ａ、第二突出部１２ｂ、第三突出部１４ａ、および第四突出部１４ｂで連結空間２０を形成している。連結部材１８は、連結空間２０に装着されている。連結空間２０の上開口部は下開口部より狭い。連結部材１８の上面は下面より狭い。連結部材１８が連結空間２０に装着された状態で、第一樹脂部材１２と第二樹脂部材１４は、上方向に可動である。支柱１６は、第一樹脂部材１２と第二樹脂部材１４の間に設けられている。【選択図】図３
0003211081.tif 000002
【実用新案登録請求の範囲】
【請求項１】
第一突出部および前記第一突出部に隣接する第二突出部を後面に備え、発泡樹脂を含有する複数の第一樹脂部材と、
第三突出部および前記第三突出部に隣接する第四突出部を後面に備え、発泡樹脂を含有する複数の第二樹脂部材と、
複数の支柱と、
前記第一樹脂部材と前記第二樹脂部材を連結する複数の連結部材と、
を有するフェンスであって、
前記第一突出部と前記第四突出部、および前記第二突出部と前記第三突出部がそれぞれ対向して連結空間を形成するように、前記第一樹脂部材と前記第二樹脂部材が設けられ、
前記連結空間の上開口部が前記連結空間の下開口部より狭く、
前記連結部材の上面が前記連結部材の下面より狭く、
前記連結部材が前記連結空間に装着されており、
前記連結部材が前記連結空間に装着された状態で、前記第一樹脂部材および前記第二樹脂部材が、前記連結部材から前方向に離れずに上方向に可動なように、前記第一突出部、前記第二突出部、前記第三突出部、および前記第四突出部が成形されており、
前記支柱が前記第一樹脂部材と前記第二樹脂部材の間に設けられているフェンス。
【請求項２】
請求項１において、
前記第一樹脂部材および前記第二樹脂部材の少なくとも一方が、樹脂を含有する被覆層を前面にさらに備えるフェンス。
【請求項３】
請求項２において、
前記前面の右端または左端、および上端に凹部が形成されるように前記被覆層が設けられているフェンス。
【請求項４】
請求項１から３のいずれかにおいて、
前記複数の第一樹脂部材および前記複数の第二樹脂部材の少なくとも一方が、奥行が異なる二種類以上の部材から構成されるフェンス。
【請求項５】
請求項１において、
前記複数の第一樹脂部材および前記複数の第二樹脂部材の少なくとも一方の前面の境界に沿って設けられたテープと、
樹脂を含有し、前記複数の第一樹脂部材および前記複数の第二樹脂部材の少なくとも一方の前面と、前記テープとを覆う被覆層と、
をさらに有するフェンス。
【請求項６】
請求項５において、
前記複数の第一樹脂部材と前記複数の第二樹脂部材が、横方向にずれて設置されているフェンス。
【考案の詳細な説明】
【技術分野】
【０００１】
本考案は、組み立てが容易で、軽量なフェンスに関するものである。
【背景技術】
【０００２】
コンクリートブロックから作製されたフェンスがよく知られている。しかしながら、コンクリートブロック製フェンスは、大きな地震等によって倒壊したときに危険である。また、コンクリートブロックでフェンスを作製する場合、あらかじめ鉛直方向に設けられた鉄筋の上方にブロックを持ち上げてから、この鉄筋がブロックの穴を通るようにブロックを降ろし、これを繰り返して複数のブロックを下から積み上げていく。しかしながら、コンクリートブロックは重いので、鉛直方向の鉄筋の上方にブロックを移動するのが大変である。
【０００３】
そこで、コンクリートブロックと同じ形状で、コンクリートブロックより軽量な発泡スチロール製ブロックを使用すれば、フェンスを作製するときにブロックを持ち上げる労力が軽減される。しかし、依然として、鉛直方向の鉄筋の上方に発泡スチロール製ブロックを持ち上げる必要がある。また、発泡スチロール製ブロックの耐久性は、コンクリートブロックの耐久性より劣る。このため、組み立てが容易で、倒壊しにくく、仮に倒壊しても安全で、耐久性、断熱性、および防音性に優れ、軽量なフェンスの出現が望まれている。
【考案の概要】
【考案が解決しようとする課題】
【０００４】
本考案はこのような事情に鑑みてなされたものであり、組み立てが容易で、倒壊しにくく、仮に倒壊しても安全で、耐久性、断熱性、および防音性に優れ、軽量なフェンスを提供することを目的とする。
【課題を解決するための手段】
【０００５】
本考案のフェンスは、第一突出部および第一突出部に隣接する第二突出部を後面に備え、発泡樹脂を含有する複数の第一樹脂部材と、第三突出部および第三突出部に隣接する第四突出部を後面に備え、発泡樹脂を含有する複数の第二樹脂部材と、複数の支柱と、第一樹脂部材と第二樹脂部材を連結する複数の連結部材とを有する。そして、第一突出部と第四突出部、および第二突出部と第三突出部がそれぞれ対向して連結空間を形成するように、第一樹脂部材と第二樹脂部材が設けられ、連結空間の上開口部が連結空間の下開口部より狭く、連結部材の上面が連結部材の下面より狭く、連結部材が連結空間に装着されており、連結部材が連結空間に装着された状態で、第一樹脂部材および第二樹脂部材が、連結部材から前方向に離れずに上方向に可動なように、第一突出部、第二突出部、第三突出部、および第四突出部が成形されており、支柱が第一樹脂部材と第二樹脂部材の間に設けられている。
【０００６】
本考案のフェンスにおいて、第一樹脂部材および第二樹脂部材の少なくとも一方が、樹脂を含有する被覆層を前面にさらに備えていてもよい。また、前面の右端または左端、および上端に凹部が形成されるように被覆層が設けられていてもよい。また、複数の第一樹脂部材および複数の第二樹脂部材の少なくとも一方が、奥行が異なる二種類以上の部材から構成されていてもよい。また、複数の第一樹脂部材および複数の第二樹脂部材の少なくとも一方の前面の境界に沿って設けられたテープと、樹脂を含有し、複数の第一樹脂部材および複数の第二樹脂部材の少なくとも一方の前面と、テープとを覆う被覆層とをさらに有していてもよい。また、複数の第一樹脂部材と複数の第二樹脂部材が、横方向にずれて設置されていてもよい。
【考案の効果】
【０００７】
本考案によれば、組み立てが容易で、倒壊しにくく、仮に倒壊しても安全で、耐久性、断熱性、および防音性に優れ、軽量なフェンスが得られる。
【図面の簡単な説明】
【０００８】
【図１】本考案の第一実施形態に係るフェンスの正面図。
【図２】図１に示すフェンスのＡ−Ａ線断面図。
【図３】図１に示すフェンスのＢ−Ｂ線断面の部分拡大図。
【図４】本考案の第一実施形態に係るフェンスの樹脂ブロックの境界付近の拡大図（ａ）と、図２に示すフェンスの樹脂ブロックの境界付近の拡大図（ｂ）。
【図５】本考案の第二実施形態に係るフェンスの作製過程を示す正面図。
【図６】図５に示すフェンス構造のＣ−Ｃ線断面の部分拡大図。
【図７】本考案の第二実施形態に係るフェンスの作製過程を示す正面図。
【図８】本考案の第二実施形態に係るフェンスの作製過程を示す正面図。
【図９】本考案の第三実施形態に係るフェンスの上面図。
【考案を実施するための形態】
【０００９】
以下、本考案のフェンスについて、図面を参照しながら各実施形態に基づいて説明する。図面は、フェンス、フェンスの構成部材、およびフェンスの周辺部材を模式的に表したものであり、これらの実物の寸法および寸法比は、図面上の寸法および寸法比と必ずしも一致しない。なお、重複説明は適宜省略し、同一部材には同一符号を付与することがある。また、特にことわらない限り、説明の便宜上、図１および図８に示す向きをフェンスの正面とし、正面の反対側の面をフェンスの背面とする。
【００１０】
図１は、本考案の第一実施形態に係るフェンス１０の正面を示している。図２は、図１のフェンス１０のＡ−Ａ線断面図である。図３は、図１のフェンス１０のＢ−Ｂ線断面の部分拡大図である。フェンス１０は、複数の第一樹脂部材１２と、複数の第二樹脂部材１４と、複数の支柱１６と、複数の連結部材１８を備えている。フェンス１０の正面が第一樹脂部材１２の前面と、フェンス１０の背面が第二樹脂部材１４の前面とそれぞれ一致する。また、第一樹脂部材１２および第二樹脂部材１４の前面と反対側の面が後面である。
【００１１】
図３に示すように、第一樹脂部材１２は、第一突出部１２ａと、第一突出部１２ａに隣接する第二突出部１２ｂを後面に備えている。第一樹脂部材１２は、発泡樹脂を含有している。同様に、第二樹脂部材１４は、発泡樹脂を含有しており、第三突出部１４ａと、第三突出部１４ａに隣接する第四突出部１４ｂを後面に備えている。支柱１６は、下部がコンクリート等の基礎や地中に埋められた状態で、鉛直方向に設置されている。支柱１６は、水平断面が長方形（正方形を含む）の筒状の金属製部材であるが、形状や材質等は特に制限がない。
【００１２】
図２および図３からわかるように、連結部材１８は、上面１８ａと下面１８ｂがひょうたんのような形状を備える柱体部材である。連結部材１８の形状は、後述するように、第一樹脂部材１２と第二樹脂部材１４がそれぞれ前方向に離れないような形状であれば、特に制限がない。本実施形態では、連結部材１８は発泡樹脂を含有している。また、図２に示すように、連結部材１８の上面１８ａは下面１８ｂより狭い。なお、図２では、連結部材１８の上面１８ａと下面１８ｂの大きさの違いを誇張して示している。フェンス１０では、図３に示すように、第一突出部１２ａと第四突出部１４ｂが対向し、第二突出部１２ｂと第三突出部１４ａが対向して設けられている。そして、第一突出部１２ａ、第二突出部１２ｂ、第三突出部１４ａ、および第四突出部１４ｂで連結空間２０を形成している。
【００１３】
図２および図３に示すように、連結部材１８は連結空間２０に装着されている。連結空間２０の上開口部２０ａは下開口部２０ｂより狭い。連結部材１８の上面１８ａが下面１８ｂより狭く、連結空間２０の上開口部２０ａが下開口部２０ｂより狭いので、第一樹脂部材１２、第二樹脂部材１４、および連結部材１８が相互に密着しやすくなる。このため、フェンス１０は、倒壊しにくく、耐久性に優れる。
【００１４】
連結部材１８が連結空間２０に装着された状態で、第一樹脂部材１２および第二樹脂部材１４が連結部材１８から前方向に離れずに上方向に可動なように、第一突出部１２ａ、第二突出部１２ｂ、第三突出部１４ａ、および第四突出部１４ｂが成形されている。支柱１６は、第一樹脂部材１２と第二樹脂部材１４の間に設けられている。本実施形態では、第一樹脂部材１２および第二樹脂部材１４の横方向の両端に支柱１６が設置されている。第一樹脂部材１２と第二樹脂部材１４の間の空間Ｒ内にも支柱１６を設けてもよい。
【００１５】
図１および図３に示すように、フェンス１０では、第一樹脂部材１２の前面に被覆層２２を、第二樹脂部材１４の前面に被覆層２４をそれぞれ備えている。被覆層２２，２４は、樹脂を含有する板状部材である。この樹脂の性質、例えば防水性や耐火性等は、フェンス１０の設置場所等に応じて選択すればよい。被覆層２２，２４は、それぞれ第一樹脂部材１２と第二樹脂部材１４の前面に溶着や接着等で固定されている。
【００１６】
第一樹脂部材１２と被覆層２２で樹脂ブロック３２を構成し、第二樹脂部材１４と被覆層２４で樹脂ブロック３４を構成している。なお、被覆層は、第一樹脂部材１２と第二樹脂部材１４の一方のみに設けてもよい。被覆層２２は、第一樹脂部材１２の左端と上端を覆わないように設けられている。すなわち、被覆層２２によって、第一樹脂部材１２の前面の左端と上端に凹部１２ｅが形成されている。凹部１２ｅがコンクリートブロックフェンスの目地に相当する外観となっている。
【００１７】
図４（ａ）は、フェンス１０の正面の樹脂ブロック３２の境界付近を拡大して示している。図４（ｂ）は、図２に示すフェンス１０の樹脂ブロック３２の境界付近を拡大して示している。図４（ａ）および図４（ｂ）に示すように、樹脂ブロック３２の境界には、継ぎ目が形成される。また、第一樹脂部材１２の前面の左端部と上端部に凹部１２ｅが形成されている、すなわち、第一樹脂部材１２の前面の左端部および上端部以外が被覆層２２で突出している。
【００１８】
そして、第一樹脂部材１２の凹部１２ｅの左端と、その左隣の樹脂ブロックの被覆層２２の右端の間に、第一樹脂部材１２の左の継ぎ目が配置され、凹部１２ｅの上端と、その上隣の樹脂ブロックの被覆層２２の下端の間に、第一樹脂部材１２の上の継ぎ目が配置される。このため、第一樹脂部材１２の左と上の継ぎ目が目立ちにくい。加えて、図４（ｂ）に示すように、凹部１２ｅの上端に配置された第一樹脂部材１２の上の継ぎ目が、その上隣の樹脂ブロックの被覆層２２の影によって、さらに目立たなくなっている。なお、凹部１２ｅは、第一樹脂部材１２の前面の右端および上端に形成してもよい。同様に、第二樹脂部材１４の前面の左端および上端にも凹部１４ｅが形成されている。
【００１９】
フェンス１０は、例えば以下のようにして作製する。まず、支柱１６を設置する。つぎに、樹脂ブロック３２の下方から連結部材１８を装着する。そして、樹脂ブロック３２と連結部材１８の一体物を移動して、樹脂ブロック３２の後面を支柱１６に接触させる。つぎに、樹脂ブロック３２とともに支柱１６を挟み込むように、樹脂ブロック３４を連結部材１８に上方から装着する。そして、樹脂ブロック３２、樹脂ブロック３４、および連結部材１８の一体物を、基礎または地上に置く。これを繰り返して、左右方向と上方向にこの一体物を設置していき、フェンス１０を作製する。最上部のこの一体物の上端には、例えば金属製のキャップを装着してもよいし、最上部のこの一体物の上端から支柱１６が飛び出るようにして、この飛び出た支柱１６部分に、他のフェンス部材を装着してもよい。
【００２０】
図５から図８は、本考案の第二実施形態に係るフェンス５０の作製過程を示している。なお、図６は、図５に示すフェンス５０の材料のＣ−Ｃ線断面の部分拡大図である。フェンス５０は、フェンス１０の被覆層２２，２４に代えて、テープ５２と、被覆層５４が設けられたフェンスである。フェンス５０の前面は、後述するように、第一樹脂部材１２同士の境界が見えないように処理されている。フェンス５０は、例えば以下のようにして作製する。
【００２１】
まず、図５および図６に示すように、複数の第一樹脂部材１２と複数の第二樹脂部材１４を、横方向にずらして設置してフェンス構造５６を作製する。第一樹脂部材１２と第二樹脂部材１４が横方向にずれているので、第一樹脂部材１２の正面の横方向の境界Ｆ，Ｇ，Ｈと、第二樹脂部材１４の正面の横方向の境界Ｌ，Ｍが、フェンス構造５６の正面と背面で同じ位置にない。このため、フェンス５０内の継ぎ目の位置が集中せず、フェンス５０の強度をさらに向上させることができる。なお、図６に示すように、支柱１６がない部分に、フェンス５０の前面の第一樹脂部材１２の継ぎ目Ｑまたは継ぎ目Ｓを変更してもよい。
【００２２】
つぎに、図７に示すように、複数の第一樹脂部材１２の前面の境界に沿って、防水性や気密性等に優れたテープ５２を貼る。そして、図８に示すように、例えば吹付け塗装等によって、複数の第一樹脂部材１２の前面とテープ５２を覆う被覆層５４を設ける。被覆層５４は樹脂を含有している。防水性や耐火性等の樹脂の性質は、フェンス５０の設置場所等に応じて選択できる。こうして、一体物のようなフェンス５０が作製される。なお、フェンス５０の背面、すなわち複数の第二樹脂部材１４の前面にも、テープと被覆層を設けてもよい。
【００２３】
図９は、本考案の第三実施形態に係るフェンス９０の上面を示している。フェンス９０では、複数の第一樹脂部材１２と複数の第二樹脂部材１４が、奥行が異なる二種類以上の部材から構成される。このため、正面および背面が凹凸になっているデザイン性に優れたフェンス９０が得られる。なお、奥行が異なる二種類以上の部材の配置は、本実施形態に限定されない。また、複数の第一樹脂部材１２と複数の第二樹脂部材１４の一方のみが、奥行が異なる二種類以上の部材から構成されていてもよい。
【符号の説明】
【００２４】
１０    フェンス
１２    第一樹脂部材
１２ａ  第一突出部
１２ｂ  第二突出部
１２ｅ  凹部
１４    第二樹脂部材
１４ａ  第三突出部
１４ｂ  第四突出部
１４ｅ  凹部
１６    支柱
１８    連結部材
１８ａ  上面
１８ｂ  下面
２０    連結空間
２０ａ  上開口部
２０ｂ  下開口部
２２，２４    被覆層
３２，３４    樹脂ブロック
５０    フェンス
５２    テープ
５４    被覆層
５６    フェンス構造
９０    フェンス
Ｆ，Ｇ，Ｈ，Ｌ，Ｍ    境界
Ｑ，Ｓ    継ぎ目
【図１】
0003211081.tif 000003
【図２】
0003211081.tif 000004
【図３】
0003211081.tif 000005
【図４】
0003211081.tif 000006
【図５】
0003211081.tif 000007
【図６】
0003211081.tif 000008
【図７】
0003211081.tif 000009
【図８】
0003211081.tif 000010
【図９】
0003211081.tif 000011